(57)【要約】【課題】折りたたみ可能なクラムシェル型電子機器の汚れ・水濡れを防ぎ、かつ収納したままクラムシェル型電子機器の開閉および操作を可能とした、クラムシェル型電子機器の汚れ・水濡れ防止樹脂ケースを提供する。【解決手段】内部にクラムシェル型電子機器を収納可能な大きさに形成された軟質合成樹脂製の袋状体であって、袋状体にクラムシェル型電子機器を収納した際に該クラムシェル型電子機器の枢結部外側にあたる位置近傍に舌状袋片を備えた。また、舌状袋片の長さは、クラムシェル型電子機器を折りたたんだ際の厚みの２分の１以上であり、袋状体または舌状袋片の少なくとも一方に密閉手段を備えた開口部を設けた。【選択図】図１
0003131687.tif 000002
【実用新案登録請求の範囲】
【請求項１】
内部にクラムシェル型電子機器を収納可能な大きさに形成された軟質合成樹脂製の袋状体であって、該袋状体のクラムシェル型電子機器を収納した際に該クラムシェル型電子機器の枢結部外側に当接する位置近傍に舌状袋片を備えることを特徴とする、樹脂ケース。
【請求項２】
前記舌状袋片の長さは、前記クラムシェル型電子機器を折りたたんだ際の厚みの２分の１以上に設定されている
ことを特徴とする、請求項１に記載の樹脂ケース。
【請求項３】
前記袋状体に、袋状体開口部密閉手段を備えた袋状体開口部を備えることを特徴とする、請求項１または請求項２に記載の樹脂ケース。
【請求項４】
前記舌状袋片に、舌状袋片開口部密閉手段を備えた舌状袋片開口部を備えることを特徴とする、請求項１乃至請求項３のいずれか一の請求項に記載の樹脂ケース。
【請求項５】
前記クラムシェル型電子機器は折りたたみ可能な携帯ゲーム機であることを特徴とする、請求項１乃至請求項４のいずれか一の請求項に記載の樹脂ケース。
【請求項６】
前記クラムシェル型電子機器は折りたたみ可能なノートブックタイプパーソナルコンピュータであることを特徴とする、請求項１乃至請求項４のいずれか一の請求項に記載の樹脂ケース。
【考案の詳細な説明】
【技術分野】
【０００１】
本考案は、樹脂ケースに関するものであり、特に、折りたたみ可能な携帯ゲーム機や、ノートブックタイプパーソナルコンピュータのようなクラムシェル型電子機器を内部に収納することで収納したクラムシェル型電子機器の汚れや水濡れの防止を可能とする樹脂ケースに関するものである。
【背景技術】
【０００２】
近年、携帯ゲーム機は手軽な娯楽手段として定着しており、さまざまな状況下で使用されるようになっている。また、携帯ゲーム機には機体のほぼ中央部で約半分の大きさに折りたためるものもあり、小型軽量で持ち運びが容易なため戸外でも使用される他、料理の調理法を指導するソフトウェアの登場等により台所のような厨房施設で使用される機会も増加している。
【０００３】
同様に、ノートブックタイプパーソナルコンピュータも業務使用のみならず、一般家庭でも広く利用されるようになっている。ノートブックタイプパーソナルコンピュータも機体のほぼ中央部で約半分の大きさに折りたためるデザインが多くの機種で採用され、小型軽量で持ち運びが容易になっていることなどから、携帯ゲーム機同様さまざまな場面で使用されるようになっている。
【０００４】
使用機会の増加や使用環境の多様化に伴い、折りたたみ可能な携帯ゲーム機やノートブックタイプパーソナルコンピュータのような、二枚貝のように折りたたみ可能な電子機器（以下、「クラムシェル型電子機器」という）が水や油、埃等にさらされる危険は従来よりも増えているのであるが、一方でクラムシェル型電子機器は一般の電子機器同様、水濡れに弱く、機体の水濡れが故障の原因となることが多い。また、油汚れや埃もクラムシェル型電子機器の画面表示を不鮮明にしたり傷つけたりといった不具合を生じる。本考案は、折りたたみ可能なクラムシェル型電子機器の水濡れや汚れを防止可能な樹脂ケースに関するものである。
【０００５】
なお、携帯電話機にも折りたたみが可能な機種が存在するが、携帯電話機は本質的に日常的に持ち歩くことを前提とした電子機器であり、ノートブックタイプパーソナルコンピュータや携帯ゲーム機のように近年に使用場面が急激に広がってきた電子機器とは異なる。従って、従来よりさまざまな樹脂ケースが提供されてきたほか、防水機能を備えた機種も存在しているためそもそも樹脂ケースに収納する必然性が低い場合もある。よって、本考案においてクラムシェル型電子機器には折りたたみ携帯電話機は含まないものとしている。
【０００６】
本考案の従来技術として、特開２０００−３０７７０２号公報の図９に開示されている発明や、特開２００２−２１１５８３号公報の図１に開示されている発明のように、折りたたみ式携帯電話機用の水濡れ防止樹脂ケースについての発明がある。これらはいずれも、折りたたみ式携帯電話機を伸ばした状態で単純な袋状のケースに入れると、折りたたみ式携帯電話機を折り曲げる際にヒンジ部の外側に対向するケースのシートが引き伸ばされる状態となり、うまく折りたたむことができないという課題を解決したものである。
【０００７】
つまり、単純な袋状ケースに折りたたみ式携帯電話機を伸ばした状態で挿入し、これを折りたたもうとすると、折りたたんだ際に外側になる面に接する樹脂ケースのシートの断面形状は、ほぼ直線状からコの字形状に変形されることになるが、携帯電話機に厚みが存在する以上、直線状の場合とコの字形状の場合でシートの必要長さが変化することになる。従って、携帯電話機を開いた状態で樹脂ケースに挿入し、これを折りたたむと樹脂ケース外側のシートの長さが不足してうまく折りたたむことができない。
【０００８】
しかし、前記発明では、袋状のケースの携帯電話機のヒンジ部外側に対向する位置付近に舌状袋構造を設けることでこの課題を解決している。折りたたみ式携帯電話機を伸ばした状態では舌状袋構造は薄くたたまれた状態となるためにで携帯電話機の保持・操作に支障が生じない一方で、携帯電話機を折り曲げた状態では舌状袋構造が開く為に携帯電話機のヒンジ部外側に対向するケースのシートが引き伸ばされること無くスムーズに折りたたむことができるのである。この様子は、前記特開２００２−２１１５８３号公報の図３に良く現れている。
【特許文献１】特開２０００−３０７７０２号公報
【特許文献２】特開２００２−２１１５８３号公報
【考案の開示】
【考案が解決しようとする課題】
【０００９】
上記のように、折りたたみ式携帯電話機に適した水濡れ防止樹脂ケースは存在するものの、ノートブックタイプパーソナルコンピュータや携帯ゲーム機等のクラムシェル型電子機器の汚れや水濡れを防止する樹脂ケースはこれまで例が無かった。
【００１０】
そこで、本考案の課題は特にクラムシェル型のクラムシェル型電子機器に適した、汚れ・水濡れ防止用樹脂ケースを提供することを目的とする。
【課題を解決するための手段】
【００１１】
（１）本考案は、内部にクラムシェル型電子機器を収納可能な大きさに形成された軟質合成樹脂製の袋状体であって、
該袋状体のクラムシェル型電子機器を収納した際に該クラムシェル型電子機器の枢結部外側に当接する位置近傍に舌状袋片を備える
ことを特徴とする、樹脂ケースとしている。
【００１２】
袋状体にクラムシェル型電子機器を収納した際に、その枢結部外側に対応する袋状体の位置に舌状袋片を備えることにより、クラムシェル型電子機器を折り曲げた状態では舌状袋片が開く為にクラムシェル型電子機器の枢結部外側に対向する袋状体のシートが引き伸ばされること無くスムーズにクラムシェル型電子機器を折りたたむことができる一方で、クラムシェル型電子機器を開いた状態では舌状袋片は薄くたたまれた状態であるのでクラムシェル型電子機器の保持・操作に支障が生じないという効果を奏するのである。
【００１３】
（２）本考案に係る樹脂ケースでは、
前記舌状袋片の長さは、前記クラムシェル型電子機器を折りたたんだ際の厚みの２分の１以上に設定されている
ことが好ましい。
【００１４】
舌状袋片が開くことにより、袋状体の舌状袋片が設けられた側面の長さは最大で舌状袋片の長さの２倍だけ長くなることができる。クラムシェル型電子機器を折りたたんだ場合、折りたたんだ際に外側になる外周の長さは、クラムシェル型電子機器を開いた状態よりもクラムシェル型電子機器を折りたたんだ状態の厚み分だけ長くなることがあるので、この分を舌状袋片で吸収可能である必要がある。従って、舌状袋片の長さをクラムシェル型電子機器を折りたたんだ際の厚みの２分の１以上に設定することで、樹脂ケースに収納したクラムシェル型電子機器のスムーズな折りたたみが可能になるという効果を奏するのである。
【００１５】
（３）本考案に係る樹脂ケースでは、
前記袋状体に、袋状体開口部密閉手段を備えた袋状体開口部を備えている
ことが好ましい。
【００１６】
クラムシェル型電子機器を誤って水中に落下させてしまう事態は想定できないものではないが、通常の使用状態ではこのようなことはまれであり、雨粒が付着する、あるいは濡れた手で操作するなどによって軽微な濡れが生じる程度がほとんどである。このような状況に対しては、樹脂ケースにクラムシェル型電子機器を収納しておけば、必ずしも開口部を完全に密閉しなくともほぼ問題を生じない程度に水濡れを防ぐことができることが多い。しかしながら、前記の様にクラムシェル型電子機器の使用場面が増加しており、極端な場合には入浴中にクラムシェル型電子機器が使用されることすら想定され、この場合は開口部を密閉できなければ不十分である。そこで、本考案にかかる樹脂ケースでは密閉手段を備えた開口部を袋状体に備えることにより開口部の密閉を可能とし、仮に水中にクラムシェル型電子機器を落下させるような事態が生じたとしてもクラムシェル型電子機器は全く濡れることがないという効果を得ている。なお、袋状体に密閉手段を備えた開口部を設けるのであるから、クラムシェル型電子機器を開いた状態として樹脂ケースに挿入することになる。
【００１７】
なお、ここで密閉手段とは、例えばジップロック（エス・シー・ジョンソン・ホーム・ストーリッジ・インコーポレーテッド社および旭化成ライフ＆リビング株式会社の登録商標）の名称で販売される食品保存用袋の密閉に使用されるジッパーと同様のものを使用できる。
【００１８】
（４）本考案に係る樹脂ケースでは、
前記舌状袋片に、舌状袋片開口部密閉手段を備えた舌状袋片開口部を備えている
ことが好ましい。
【００１９】
開口部を袋状体に設けた場合、クラムシェル型電子機器を開いた状態として樹脂ケースに挿入することになるが、クラムシェル型電子機器によっては枢結部付近にさまざまな追加オプションを挿入できる場合がある。このようなオプションには例えばクラムシェル型電子機器に無線通信機能を追加できるようなものがあるが、オプションによってはクラムシェル型電子機器から突出した状態で使用するものもある（例えば無線通信機能を追加するオプションのアンテナ等）。クラムシェル型電子機器に突出部が存在する状態では、袋状体に設けた開口部からクラムシェル型電子機器を出し入れしにくいばかりか、突出部によって樹脂ケースに大きなしわ等を生じて操作性も低下してしまう。
【００２０】
そこで、このような場合には舌状袋片に密閉手段を備えた開口部が備えられていると、ここからクラムシェル型電子機器を樹脂ケースに容易に挿入することができるばかりでなく、突出部が舌状袋片に納まるために樹脂ケースにしわ等が生じにくく操作性も良好に保たれるという効果を奏する。
【００２１】
また、別の効果として、クラムシェル型電子機器に有線で電源を供給したり通信ケーブルを接続する場合の利便性が向上するという効果がある。つまり、クラムシェル型電子機器には、しばしば枢結部付近に、電源を接続するコネクタや通信ケーブルを接続するコネクタが設けられている。通常、クラムシェル型電子機器は内臓の二次電池で駆動することが多いが、これを充電する際には電源コネクタに電源ケーブルを接続する必要がある。また、有線の通信を行う際にも、通信コネクタに通信ケーブルを接続しなければならない。このような場合、舌状袋片に密閉手段を備えた舌状袋片開口部が備えられていると、クラムシェル型電子機器を樹脂ケースから取り出さなくても、舌状袋片開口部を開いてケーブルを接続することができるのである。とくに、電源ケーブルの接続は日常的に頻繁に行う必要があるため、これによる利便性の向上は顕著である。
【００２２】
当然ながら、袋状体開口部と舌状袋片開口部の両方を備えた樹脂ケースとしても良い。クラムシェル型電子機器の出し入れは、袋状体開口部から行うことが容易であり、電源ケーブル等の接続は、舌状袋片開口部から行うことが便利であるので、このようにすることで特に利便性の高い樹脂ケースとなるからである。
【００２３】
（５）また、前記（４）の場合、本考案に係る樹脂ケースは、前記舌状袋片の長さは、前記クラムシェル型電子機器を折りたたんだ際の厚みの２分の１にクラムシェル型電子機器の枢結部付近の突出部の長さを加えた長さ以上に設定されていることが好ましい。
【００２４】
クラムシェル型電子機器の枢結部付近に突出部が存在する状態では、この突出部が舌状袋片に収納されるのであるから、クラムシェル型電子機器を折りたたんだ際に突出部のために舌状袋片が開ききれず、樹脂ケースのシートが突っ張った状態となってスムーズにクラムシェル型電子機器を折りたたむことができなくなる。そこで、突出部を収納しつつクラムシェル型電子機器を折りたたんだ際に必要となる長さとして、舌状袋片の長さをクラムシェル型電子機器を折りたたんだ際の厚みの２分の１にクラムシェル型電子機器の枢結部付近の突出部の長さを加えた長さ以上に設定することでクラムシェル型電子機器をスムーズに折りたたむことができるのである。
【００２５】
（６）本考案に係る樹脂ケースは、少なくとも一部が透明または半透明であることが好ましい。。
【００２６】
樹脂ケースに収納した状態でクラムシェル型電子機器を操作するため、クラムシェル型電子機器の表示画面を外部から視認できると便利であるからである。
【００２７】
（７）本考案に係る樹脂ケースは、ポリオレフィン樹脂からなることが好ましい。
【００２８】
比較的安価でかつ目的に十分な耐水性を備え、かつ樹脂シートに特有の雑音の発生が少ない為である。特に、雑音については樹脂ケースにクラムシェル型電子機器を収納した状態で、クラムシェル型電子機器の備えるボタン類の操作を行うと、パリパリといった耳障りな音を発生しがちであるが、柔軟なポリオレフィン樹脂ではこれが非常に少ない。また、クラムシェル型電子機器を繰り返し開いたり折り曲げたりしたとしても、柔軟なポリオレフィン樹脂には割れ等が生じにくく、良好な耐久性が確保されるという効果を奏する。
【００２９】
また、樹脂シートから樹脂ケースを製造する際に、熱溶着工法が使用できることも利点である。これによれば、比較的容易に信頼性の高い樹脂シート同士の接着が実現され、接着不良による浸水事故を防止できるほか、製造コストの低減も図れるという効果を奏する。
【００３０】
無論、許容される雑音程度や必要な耐久性は用途によって異なるため、本樹脂ケースの原材料はポリオレフィン樹脂に限らず、ポリプロピレンその他の樹脂を使用してもかまわない。
【考案を実施するための最良の形態】
【００３１】
以下本考案に係るクラムシェル型電子機器用樹脂ケースを図面を用いて詳細に説明する。
【実施例１】
【００３２】
図１は、本考案に係るクラムシェル型電子機器用樹脂ケースの一実施例の斜視図である。素材は透明なポリオレフィン樹脂の厚さ０．１５〜０．２ｍｍ程度のシート状素材を使用している。また、図２は同クラムシェル型電子機器用樹脂ケースの断面を示す説明図である。
【００３３】
この樹脂ケースは、内部に図示しないクラムシェル型電子機器を収納可能な袋状体（１）に舌状袋片（２）を設けた構造である。舌状袋片（２）の位置は、袋状体（１）にクラムシェル型電子機器を開いて挿入した際に、枢結部とほぼ対向する位置としている。
【００３４】
また、舌状袋片（２）の長さは、クラムシェル型電子機器を折りたたんだ際の厚みの２分の１よりもやや長く設定している。
【００３５】
さらに、袋状体（１）には袋状体開口部密閉手段（３ａ）を備えた袋状体開口部（３）が設けられており、舌状袋片（２）には舌状袋片開口部密閉手段（４ａ）を備えた舌状袋片開口部（４）が設けられている。クラムシェル型電子機器を開いた状態では、通常袋状体開口部（３）から出し入れをすればよいが、通信アンテナ等のオプションを使用しているなどしてクラムシェル型電子機器の枢結部に突出部がある場合には、袋状体開口部（３）からの出し入れがしにくくなるので、舌状袋片開口部（４）から出し入れをすればよい。この場合は、クラムシェル型電子機器をほぼ折りたたんだ状態で出し入れすることになる。
【００３６】
袋状体開口部密閉手段（３ａ）および舌状袋片密閉手段（４ａ）には、食品保存用袋等に広く使用されているジッパーと同じものを用いている。
【００３７】
図３および図４には本考案に係る樹脂ケースにクラムシェル型電子機器挿入した状態の断面図を示している。両図では、樹脂ケースを構成する樹脂シートの接着を熱溶着によって行った状態を表示しており、袋状体（１）の先端部分（つまり、袋状体開口部（３）と逆側の端）は２枚のシートを重ねて熱溶着した形状が表示されている。
【００３８】
さて、図３はクラムシェル型電子機器（５）を開いた状態で本考案に係る樹脂ケースに収納した状態を示しており、舌状袋片（２）内には特になにも入っていない状態である。
【００３９】
ここで、クラムシェル型電子機器（５）を折りたたむと、図４のようになる。すなわち、クラムシェル型電子機器（５）を折りたたむと、折りたたむ際の外側に当たる本考案に係る樹脂ケースの舌状袋片（２）が開き、クラムシェル型電子機器（５）の枢結部に当接する。このように舌状袋片（２）が開くことで、クラムシェル型電子機器（５）の折りたたみをスムーズに行うことができるのである。
【産業上の利用可能性】
【００４０】
以上詳述したように、本考案に係るクラムシェル型電子機器用樹脂ケースによれば、クラムシェル型電子機器の汚れ・水濡れを防ぎ、かつ収納したままクラムシェル型電子機器の開閉および操作が可能である。これにより、入浴時などの汚れ・水濡れが予想される環境であってもクラムシェル型電子機器を利用することが可能となり、クラムシェル型電子機器をますます有効に使用することが可能となる。
【図面の簡単な説明】
【００４１】
【図１】本考案に係る樹脂ケースを示した説明図である。
【図２】本考案に係る樹脂ケースの断面図である。
【図３】本考案にかかる樹脂ケースにクラムシェル型電子機器を収納した様子を示す説明図である。
【図４】本考案にかかる樹脂ケースにクラムシェル型電子機器を収納した様子を示す説明図である。
【符号の説明】
【００４２】
１    袋状体
２    舌状袋片
３    袋状体開口部
３ａ  袋状体開口部密閉手段
４    舌状袋片開口部
４ａ  舌状袋片開口部密閉手段
５    クラムシェル型電子機器
【図１】
0003131687.tif 000003
【図２】
0003131687.tif 000004
【図３】
0003131687.tif 000005
【図４】
0003131687.tif 000006